(57)【特許請求の範囲】
【請求項１】
第１携帯電話機と、前記第１携帯電話機とは別体の第２携帯電話機と、これら第１携帯電話機および第２携帯電話機との双方に無線接続可能な無線端末であって、
前記第１携帯電話機および前記第２携帯電話機での双方の着信履歴データを、無線通信にて受信し表示閲覧可能としたことを特徴とする無線端末。
【請求項２】
マイクとスピーカーとを有し、
前記第１携帯電話機、前記第２携帯電話機へ音声着信があった場合に、この着信を受けれ、前記マイクと前記スピーカーにて通話が可能となっていることを特徴とする請求項１記載の無線端末。
【請求項３】
前記第１携帯電話機、前記第２携帯電話機に着信があるごとに前記無線通信にて送信された前記着信履歴データを、受信することを特徴とする請求項１または２記載の無線端末。
【請求項４】
前記第１携帯電話機での着信履歴データと、前記第２携帯電話機での着信履歴データとを端末ごとで区分けして表示可能となっていることを特徴とする請求項１ないし３いずれか記載の無線端末。
【請求項５】
前記着信履歴データの区分け表示とは、所定の順序で一覧表示するようになっており、前記所定の順序を使用者が設定できることを特徴とする請求項４記載の無線端末。
【請求項６】
第１携帯電話機と、第１携帯電話機とは別体である第２携帯電話機と、これら第１携帯電話機と第２携帯電話機との双方と無線通信にて無線接続可能な無線端末を有する通信システムであって、
前記第１携帯電話機は、第１着信履歴データを無線通信にて前記無線端末へ送信し、前記第２携帯電話機は、第２着信履歴データを無線通信にて前記無線端末へ送信し、前記無線端末では、前記第１着信履歴データと前記第２着信履歴データとを受信して双方を表示することを特徴とした通信システム。
【請求項７】
前記第１携帯電話機での第１着信履歴データと、前記第２携帯電話機での第２着信履歴データとを端末ごとで区分けして表示可能となっていることを特徴とする請求項６に記載の通信システム。
【請求項８】
前記第１着信履歴データは、第１携帯電話機に着信があるたびに、第２着信履歴データは、第２携帯電話機へ着信があるたびに、前記無線端末に送信されることを特徴とする請求項７記載の通信システム。
【発明の詳細な説明】
【０００１】
【発明の属する技術分野】
本発明は、無線端末であって、特に複数の親機に対して共通の子機が使用可能なものに好適である。
【０００２】
【従来の技術】
近年、携帯電話機やパーソナルコンピュータ等の通信機器において、近距離無線通信（例えばブルートゥース通信、以下ＢＴ通信）で相互に接続するものが検討されており、このＢＴ通信部を搭載した機器であれば、各機器に対応した通信ソフトプログラムを搭載しておくことで、必要に応じて接続可能となる。例えば、パーソナルコンピュータと携帯電話とＢＴ通信で接続することで、パーソナルコンピュータで携帯電話を介してメールの送受信、インターネットを使用することが可能となる。
【０００３】
【発明が解決しようとする課題】
しかしながら、本発明者が検討した結果、このようなＢＴ通信部が複数の通信端末に搭載された場合、以下の問題が想定される。
【０００４】
例えば、公衆回線網に接続された一般的な固定電話１台と、携帯電話機２台（Ａ，Ｂ）とがＢＴ通信で接続可能で、これらが家庭内にあったとする。すると、これら固定電話および携帯電話機Ａでの着信を、ＢＴ通信にて携帯電話機Ｂで受けれるようにすることも可能となり、この場合、携帯電話機Ａは固定電話および携帯電話機Ｂを親機とした子機として使用可能となる。
【０００５】
しかし、このようなときに、各電話機での着信履歴データ（着信時間、発信先の電話番号）をどう扱うかが問題となる。例えば、固定電話に着信があり、これを携帯電話機Ａで電話を受けた場合、携帯電話機Ｂに着信があり携帯電話機Ａで受けた場合、着信履歴が親機である固定電話、携帯電話機Ｂだけに記憶されていると、使用者はわざわざ固定電話や携帯電話機Ｂで確認するのは、利便性にかける。
【０００６】
本発明は上記事情に鑑みてなされたものであり、複数の通信端末に無線接続可能な無線端末において、着信履歴に関する利便性を向上させることを目的とする。
【０００７】
【課題を解決するための手段】
請求項１記載の発明によれば、第１携帯電話機と、前記第１携帯電話機とは別体の第２携帯電話機と、これら第１携帯電話機および第２携帯電話機との双方に無線接続可能な無線端末であって、前記第１携帯電話機および前記第２携帯電話機での双方の着信履歴データを、無線通信にて受信し表示閲覧可能としたことを特徴としている。
また、請求項６記載の発明によれば、第１携帯電話機と、第１携帯電話機とは別体である第２携帯電話機と、これら第１携帯電話機と第２携帯電話機との双方と無線通信にて無線接続可能な無線端末を有する通信システムであって、前記第１携帯電話機は、第１着信履歴データを無線通信にて前記無線端末へ送信し、前記第２携帯電話機は、第２着信履歴データを無線通信にて前期無線端末へ送信し、前記無線端末では、前記第１着信履歴データと前記第２着信履歴データとを受信して双方を表示することを特徴としている。
【０００８】
これにより、無線端末で、第１携帯電話機および第２携帯電話機の着信履歴データを確認することができ、利便性が向上する。
【００１２】
また、請求項４、７記載の発明では、第１携帯電話機での着信履歴データと、第２携帯電話機での着信履歴データとを端末ごとで区分けして表示可能となっている。
【００１３】
これにより、無線端末で容易に通信端末ごとの着信履歴を確認することができる。
【００１４】
また、請求項４記載の発明において、請求項５記載の発明では、着信履歴の区分け表示とは、所定の順序で一覧表示するようになっており、所定の順序を使用者が設定できることを特徴としている。
【００１５】
これにより、使用者の通信端末の使用頻度に応じて、着信履歴データの表示順を設定でき、より使い勝手を向上することができる。
【００１６】
【発明の実施の形態】
以下、本発明の実施形態について図１乃至図９を参照して説明する。図１は本発明の通信システムを模式的に表わしたものである。ただし、図１の全通信端末は、説明上、一つの家屋内にあるものとする。図２は携帯電話機１，２の全体構成を表わすブロック図である。
【００１７】
図１において、１、２は基地局と無線通信することで音声通話や、電子メールの送受信が可能な携帯電話機（本発明の第１もしくは第２通信端末に相当する）である。
【００１８】
携帯電話機１、２は、図２に示すようにマイクロコンピュータなどからなる制御回路３を中心として構成されている。制御回路３には、キー操作部４からの操作信号が与えられるようになっている。また、制御回路３は、ＬＣＤ（ディスプレイ）５における表示を制御するようになっている。送話用のマイク６に入力された音声信号は、音声処理部７によりＡ／Ｄ変換されると、データ変換部８により例えばπ／４シフトＤＱＰＳＫ信号に変換される。
【００１９】
ＤＱＰＳＫ信号は、送受信部９において例えば８００ＭＨｚ帯の搬送波信号によって直交変調され、アンテナ１０から電波信号として外部（基地局）に送信されるようになっている。一方、アンテナ１０が電波信号を受信すると、受信信号は上記と逆の経路で復調されＤ／Ａ変換されて、受話用のスピーカ１７より音声信号として出力される。
【００２０】
制御回路３は、音声処理部７、データ変換部８，送受信部９の制御を行うようになっている。また、制御回路３には、ＲＯＭ，ＲＡＭやＥＥＰＲＯＭなどからなる記憶部１２が接続されており、制御回路３は、必要に応じて記憶部１２に対するデータの書込みや読出しを行うようになっている。この記憶部１２には、着信がある度に、発番号通知で得た発信者の電話番号、着信日時等の着信履歴データを記憶するようになっている。
【００２１】
携帯電話機１、２は、図２に示すように制御回路３に接続された近距離無線通信部１３（以下、ＢＴ通信部１３）を内蔵している。携帯電話機１、２は、ＢＴ通信部１３にてを利用して、例えば図示しないＢＴ通信部を内蔵したハンズフリーキットと無線接続して、車内でのハンズフリー通話を行なうことができる。
【００２２】
この場合、携帯電話機１，２の送受信部９で受信した音声データは、ＢＴ通信部１３で変調されたのち、ハンドフリーキット側のＢＴ通信部で受信復調され、音声として出力される。一方、その逆で、ハンドフリーキットからの入力音声は、先ずハンズフリー側の図示しないＢＴ通信部で変調された後、携帯電話機１、２のＢＴ通信部１３で復調され、さらに復調されたデータが、再度、送受信部１３で変調されて、アンテナ１０にて基地局に送信されるようになっている。
【００２３】
また、携帯電話機１、２のＢＴ通信部１３を利用して、例えばＢＴ通信部を内蔵した携帯型情報端末（ＰＤＡ）と無線接続することで、携帯電話機１，２を介して電子メールの送受信を容易に行うことも可能である。
【００２４】
図１において、１４は、携帯電話機１、２と同様に図示しない基地局と無線通信することで、音声通話、電子メールが送受信可能な車内屋外共用通信端末である。ここで、車内屋外共用通信端末１４（以下共用通信端末）と述べたのは、携帯電話機１，２と異なり、この共用通信端末は、図３に示すように無線部セット１５と、この無線部セット１５と無線接続されるハンドセット（マイク、スピーカーを含む）とが別体で構成されている。この別体の構成は、上述した図２の携帯電話機１、２に対応させると、図２において、破線で囲んだ部分が無線部セット１５に対応し、それ以外の部分がハンドセット１７に対応する。なお、図２示す破線ように制御回路３と音声処理部７とは、共用通信端末では、制御回路３、音声処理部７が２つに機能分割される。
【００２５】
このような別構成となっているのは、車内に持ちこみ、ハンドセットと無線部セット７とを接続して自動車電話として利用可能であるとともに、車内でハンドセットは未使用で、例えば携帯型情報端末（ＰＤＡ）と無線部とを接続することで、車内での電子メールの送受信を容易に行なえるようになっている。
【００２６】
なお、無線部セット１５には、シガーライター給電プラグなどから車載バッテリから電源が得られるようになっている。ハンドセット１７は、二次電池を内臓しており、図示しない車載用置台に設置された場合、上記車載バッテリから充電される二次電池に充電が行なわれる。
【００２７】
本実施形態では、無線部セット１５とハンドセット１７には、それぞれ上述と同じＢＴ通信部１６、１８が内蔵されており、これにより、無線部セット１５で受信した音声データは、再度ＢＴ通信部１６で変調されたのち、ハンドセット側のＢＴ通信部１８で受信復調され、音声として出力される。一方、その逆で、ハンドセット１７からの入力音声は、ハンドセット側のＢＴ通信部１８で変調された後、無線部セット１４側のＢＴ通信部１６で復調され、さらに復調されたデータが、再度変調されて、基地局に送信される。
【００２８】
なお、ＢＴ通信部１６，１８を図１に対応させると、制御回路３のＢＴ通信部１３がＢＴ通信部１８に対応し、これはハンドセット１７側の制御回路３に接続される。一方、ＢＴ通信部１８は、制御回路３の無線部セット１５側に接続される。
【００２９】
図１において、２１は、公衆回線に接続された固定電話（本発明の第１もしくは第２通信端末に相当する）である。固定電話２１にも、周知のように着信履歴が図示しなメモリに記憶されるようになっている。
【００３０】
図１において、１９はパーソナルコンピュータ（本発明の第１もしくは第２通信端末に相当する、以下、パソコン）であり、例えば公衆電話回線に接続することで電子メールの送受信が可能である。電子メールの受信データ（差出人のメールアドレス、受信日時、着信履歴に該当）は、内蔵されたハードディスクなどの記憶媒体（図示しない）に記憶される。
【００３１】
また、図１において、２０は、公衆電話回線に接続することで、非音声データである画像データ（イメージデータ）を送受信するファクシミリである。ファクシミリにも、受信したＦＡＸデータの着信履歴（差出人、件名、受信日時など）が、図示しない記憶媒体に記憶される。そして、これら固定電話、パソコン、ファクシミリにも、上述と同様なＢＴ通信部２２、２３が内蔵されている。
【００３２】
ここで、各通信端末において、各ＢＴ通信部１３，１６，１７，２２，２３間で通信（周波数ホッピング式スペクトル拡散通信）を行なうためには、初期設定が必要であり、これについて簡単に説明しておく。
【００３３】
先ず、お互いのＢＴ通信部を初期設定モードとすると、何の認証もなく、初期無線リンクがはられる。次にこの状態で、一方の機器側あらパスワード（例えば４桁数字）を入力する。この入力したパスワードは、他方の機器に送られ、初期設定が完了する。
【００３４】
これにより、ＢＴ通信部で相互に接続が可能となり、例えば、一方の機器を操作してＢＴモードとすると、自動的にパスワードを送信し、これを受信した機器は、以前に登録されたパスワードであれば、無線接続が行なわれる。
【００３５】
また、本例では、このような登録により、図１に示すように例えば、ハンドセット１７は、他の通信機器１、２、１９〜２１と各ＢＴ通信部にて無線通信が可能となっており、これにより、各通信端末間でデータのやり取りが可能となる。また、各ＢＴ通信部は、パスワードに対応して相手通信機器の属性（電話、ＦＡＸ、パソコンなのかを識別するデータ）を記憶するようになっている。
【００３６】
従って、このような各通信機器でお互いに通信できるということは、解決する手段で述べたように、複数の通信端末（親機）に対して、共通の子機で着信が受けられるということになる。例えば、図１において、ハンドセット１７は、自分の電話への着信（無線部セット１５への着信）だけでなく、携帯電話機１、２、固定電話からの着信を受けれ、通話が可能となる。
【００３７】
また、どの通信端末が親機、子機などは自在に設定できるようになっており、図．３に示すように子機設定として、上述の属性データを利用して、着信元の通信端末を設定できるようになっている。図３はハンドセット１７の設定表示画面である。
【００３８】
また、固定電話２１、携帯電話機１，２の子機だけでなく、ハンドセット１７は、ファクシミリ２０およびパソコン１９ともＢＴ通信部で通信可能である。ファクシミリ２０は自分の受信処理に連動して、差出人、件名などを、ハンドセットに送信する。パソコン１９の場合は電子メールの受信処理に連動して、ＢＴ通信部でハンドセット１７に電子メールの差出人、件名などを送信する。このようなデータ転送設定も、図３に示す属性を利用した設定で可能となる。ただし、図３では、ハンドセット１７を子機とし、ＦＡＸ２０、パソコン１９を着信履歴データ転送の親として、親機として記述してある。
【００３９】
次に、本実施形態の動作を図４ないし図７を用いて説明する。以下の説明の前提としては、、図１に示すようにハンドセット１７が携帯電話機１、２、固定電話２１、ファクシミリ２０、パソコン１９とＢＴ通信にて既に無線接続されており、ハンドセット１７は、携帯電話機１、２、固定電話２１の子機として機能している。図４は、固定電話２１、パソコン１９、ＦＡＸ２０、携帯電話機１、２の処理動作をまとめて記述した図である。
【００４０】
以下、図４にて携帯電話機１、２、もしくは固定電話２１に電話着信があった場合、ステップＳ４１０に進む。次にステップＳ４２０にて着信を示すデータ、および着信履歴データをＢＴ通信部（１３、２２）を抽出し、ステップＳ４３０にてこれらデータをハンドセット１７に送信する。
【００４１】
一方、着信（受信）がファクシミリ２０のＦＡＸデータ、パソコン１９での電子メールである場合（ステップＳ４４０）は、ステップＳ４４０にて、送信相手から送られてくるその差出人（ＦＡＸならＦＡＸ番号、電子メールなら相手の電子メールアドレス、件名）をＢＴ通信部２３、２４を介して、ハンドセット１７に送信する。
【００４２】
一方、図５は、図４にて送信された着信履歴データを、ハンドセット１７で受信する動作を示しており、先ずステップＳ５００にてこの着信履歴データを受信し、次にステップＳ５１０にて親機である通信端末の属性に応じて、着信履歴データを区分けする。次にこの区分けしたデータを、ステップＳ５２０をメモリ（記憶部１２に対応）に保存する。
【００４３】
これにより、例えば、図６に示すように着信先が携帯電話機１であれば、履歴表示のときに表示上、携帯電話機１の欄に着信履歴が表示される。図６に示すように、着信履歴は、図６に示すように各通信端末毎に一覧表示されるようになっているが、図７に示すように通信機器に応じて優先順位（並び順位）をハンドセット１７で設定することで、例えば使用頻度が高い携帯電話機１，２を一覧表示の上位に表示することも可能である。
【００４４】
次に、このようなメモリに着信履歴データを保存したのち、ステップＳ５３０にて、ハンドセット１７は、親機である送信元の通信端末に受信したことを表わす確認信号を返送する。
【００４５】
また、このようにハンドセット１７で受信した着信履歴データは、図６に示すように表示されるとともに、このデータ自体、ハンドセット１７で再利用可能となっている。図８はこの処理を表す。ステップＳ８００に示すようにメモリーからを読み出すと、これにより図６の画面を表示される。次にステップＳ８１０にて、この画面上でキー操作にてカーソルを着信履歴から宛先を選択する。
【００４６】
次に、ステップＳ８２０にて、選択された宛先が電子メールか電話なのかを判断し、図示しない発信キーが操作されると、ステップＳ８４０にてその相手に無線部セット１５を介して、電話がかけれる。一方、ステップＳ８２０にて電子メールであると判断すると、その相手に送信メール文を作成後、所定の操作でメールが送信される（ステップＳ８３０）。
【００４７】
以上の例では、図１に示すようにハンドセット１７がＢＴ通信部１６にて、全ての通信端末と通信状態にあることで説明したが、例えば、ハンドセット１７をＢＴ通信部圏外から持ち込んだりした場合でも、着信履歴データをハンドセット１７に追加できる。これについて、図５、および図９にて説明する。
【００４８】
上述した図５において、ハンドセットは着信履歴を保存した場合、相手の通信機器に確認信号を送信した。一方、この確認信号を受信した通信端末は、自分の着信履歴に対応して転送済みをデータを保存しておく。
【００４９】
そして、ハンドセット１７を図１に示すＢＴ通信圏内に持ち込んみ、ＢＴ通信モード（電源オン）にした場合、通信端末と無線接続されるのであるが、相手の通信端末は、先ず、図９のステップＳ９１０に示すように未送信の着信履歴データを判断し、未転送データ（新規データ）がある場合は、ステップＳ９２０にてデータをハンドセット１７に送信する。ハンドセット１７は、これを受信し、図５にて説明したように通信端末ごとに区分けして保存する。
【００５０】
以上のように本実施形態では、複数の親機での着信履歴を子機であるハンドセットで表示閲覧することが可能であり、利便性を向上できる。また、ハンドセットでの着信履歴データは、再利用でき、データが電話の履歴であれば、そのまま電話することも可能となり、さらに利便性を向上できる。また、ハンドセットをＢ通信圏外である屋外へ持ち出した間の、屋内での着信履歴データをも確実に追加更新することができる。
【００５１】
また、本実施形態では、非音声データ端末であるファクシミリ２０、パソコン１９と、音声データ端末である固定電話２１、携帯電話機１、２といった異なる通信形態を有する端末での着信履歴データを、ハンドセット１７に送信し、ハンドセット１７で閲覧表示でき、利便性を高めるができる。
【００５２】
本発明は上記し且つ図面に記載した実施形態にのみ限定されるものではなく、次のような変形または拡張が可能である。
【００５３】
上記実施形態では、ハンドセット１７に他の通信端末の着信履歴データが集るよにしたが、勿論、ハンドセット１７の代わりに携帯電話機１、２、固定電話２１、パソコン１９に集るようにしても良い。
【００５４】
また、上記各実施形態では、ファクシミリ２０、パソコン１９からの着信履歴データとして、差出人データ、件名だけとしたが、ファクシミリなら画像データ全て、パソコンでの電子メールなら本文および添付ファイルまでも、ハンドセット１７に送るようにしても良い。
【００５５】
また、上記各実施形態において、ハンドセット１７で所定操作することで、この他の通信端末の着信履歴が転送されるようにしても良い。
【００５６】
また、上記各実施形態では、ハンドセット１７で受信した着信履歴データをあて先として再利用して、無線部セット１５を通じて発信できるようにしたが、携帯電話機１、２や固定電話２１を通じて選択発信できるようにしても良い。
【００５７】
また、本発明では、通信端末として、携帯電話機、固定電話、パソコン、ファクシミリに限らず、その他、着信履歴を記憶しておく通信端末なら、どのようなものでも適用できる。
【図面の簡単な説明】
【図１】本発明の実施形態における通信システムをあらわす模式図である。
【図２】上記実施形態における携帯電話機１、２および共用端末１４の電気的構成を示す機能ブロック図である。
【図３】上記実施形態におけるハンドセット１７での親機、子機の設定状態を示す図である。
【図４】上記実施形態における親機側の通信端末の処理動作をあらわす図である。
【図５】上記実施形態におけるハンドセットの着信履歴データの受信動作を表す図である。
【図６】上記実施形態におけるハンドセットへの着信履歴表示状態をあらわす図である。
【図７】上記実施形態におけるハンドセットでの表示一覧で優先順位設定を表す図である。
【図８】上記実施形態におけるハンドセットへの着信履歴データを再利用することを示す図であるる。
【図９】上記実施形態におけるハンドセットへの着信履歴更新追加を表す図であるる。
【符号の説明】
１、２  携帯電話機
３  制御回路
５  ディスプレイ
１２  記憶部
１３、１６、１８、２２，２３，２４  ＢＴ通信部
１９  パソコン
２０  ファクシミリ
２１  固定電話
【図１】
0003807241.tif 000002
【図２】
0003807241.tif 000003
【図３】
0003807241.tif 000004
【図４】
0003807241.tif 000005
【図５】
0003807241.tif 000006
【図６】
0003807241.tif 000007
【図７】
0003807241.tif 000008
【図８】
0003807241.tif 000009
【図９】
0003807241.tif 000010